(57)【要約】【課題】灯具の長手方向の端部に配置でき、灯具側支持具と干渉しない電線保持具を有する灯具を提供する。【解決手段】灯具２００は器具に着脱自在に装着される。灯具は台座２２０と電線保持具３３０を備えている。台座２２０は、第１面２２１ａの側に光源部２１０が配置されており、第１面２２１ａと反対側である第２面２２１ｂの側には器具１００に灯具２００を装着するための灯具側支持具２８０が配置されている。電線保持具３３０は、台座２２０の端部において第２面２２１ｂと灯具側支持具２８０との間に配置され、端部のＴ４部を経由して第１面２２１ａの側及び第２面２２１ｂの側に配置される給電線２７２を保持する。【選択図】図１４
2020119863.tif 000002
【特許請求の範囲】
【請求項１】
器具に着脱自在に装着される灯具であり、
一面の側に光源部が配置されるとともに、前記一面と反対側である他面の側には前記器具に前記灯具を装着するための灯具側支持具が配置される台座と、
前記台座の端部において前記他面と前記灯具側支持具との間に配置され、前記端部を経由して前記一面の側及び前記他面の側に配置される電線を保持する電線保持具と
を備えた灯具。
【請求項２】
前記電線保持具は、
前記電線を保持した状態で前記灯具側支持具と離隔している請求項１に記載の灯具。
【請求項３】
前記電線は、
前記電線保持具に保持された状態で前記灯具側支持具と離隔している請求項１又は請求項２に記載の灯具。
【請求項４】
前記電線保持具は、
前記台座に固定される基部と前記基部に取付けられる蓋部とを有しており、
前記電線は、
前記蓋部が前記基部に取付けられた状態で前記基部と前記蓋部とに挟持される請求項１から請求項３の何れか一項に記載の灯具。
【請求項５】
前記台座は、
前記端部に切欠部が形成されており、
前記電線保持具は、
前記切欠部を覆うように配置されている請求項１から請求項４の何れか一項に記載の灯具。
【請求項６】
前記台座は、
前記端部に切欠部が形成されており、
前記電線保持具は、
前記切欠部を覆うように配置されており、
前記電線保持具は、
前記基部に形成され、かつ、前記切欠部を通過する前記電線を案内する通線溝を有する請求項４に記載の灯具。
【請求項７】
前記通線溝は、
前記基部が前記台座に固定された状態で前記切欠部と重なる位置に形成されている請求項６に記載の灯具。
【請求項８】
前記電線保持具は、
前記蓋部に形成され、かつ、前記蓋部が前記基部に取付けられた状態で前記通線溝に案内された電線を保持する保持突起を有する請求項６又は請求項７に記載の灯具。
【請求項９】
前記保持突起は、
前記蓋部が前記基部に取付けられた状態で前記切欠部と重なる位置に形成されている請求項８に記載の灯具。
【請求項１０】
前記保持突起は、
前記蓋部が前記基部に取付けられた状態で前記通線溝に嵌っている請求項８又は請求項９に記載の灯具。
【請求項１１】
前記電線保持具は、
弾性変形可能に、前記基部と前記蓋部とを接続する接続部を有する請求項４、請求項６、請求項７、請求項８、請求項９、請求項１０の何れか一項に記載の灯具。
【請求項１２】
器具と、
前記器具に対して着脱自在に装着される、請求項１から請求項１１の何れか一項に記載の灯具と
を備えた照明装置。
【請求項１３】
一面の側に光源部が配置され、前記一面と反対側である他面の側に器具に灯具を装着するための灯具側支持具が配置される台座の端部に取り付けられる電線保持具であって、
前記他面と前記灯具側支持具との間に配置され、前記端部を経由して前記一面の側及び前記他面の側に配置される電線を保持する電線保持具。
【発明の詳細な説明】
【技術分野】
【０００１】
本発明は、発光ダイオード（以下、ＬＥＤと称す。）等の発光素子を光源とする灯具、照明装置、及び照明装置内に配設される電線を保持する電線保持具に関する。
【背景技術】
【０００２】
ＬＥＤを光源とするＬＥＤ照明装置の一つとして、例えば、特許文献１には、照明装置を家屋の天井や壁に直接取り付ける、直付型の照明装置として構成したものが提案されている。このＬＥＤ照明装置は、複数のＬＥＤ素子が長手方向に沿って配列されたＬＥＤ基板をヒートシンクに取り付けた状態でＬＥＤモジュールが形成されている。また、ＬＥＤ基板にはコネクタが設けられており、ヒートシンクにはＬＥＤ基板と反対側に電源ボックスが取り付けられており、ＬＥＤに電力を供給する２本の導電線がヒートシンクに設けられた孔部または切欠部を経由して電源ボックスとコネクタとを電気的に接続している。
【０００３】
そして、特許文献１のＬＥＤ照明装置では、孔部または切欠部に２本の導電線を保護する保護部材が設けられた構成が開示されている。
【０００４】
特許文献１に記載されたＬＥＤ照明装置では、２本の導電線は、それぞれ別々に用意された孔部または切欠部を経由させる必要があるので配線作業が面倒であり手間を要する可能性がある。２本の導電線を保護する保護部材は、２本の導電線がそれぞれ経由する孔部または切欠部に設ける必要があるので取り付け作業が面倒であり手間を要する。このため、ＬＥＤ照明装置の製造コストを増大させる可能性がある。
【０００５】
また、特許文献１に記載されたＬＥＤ照明装置では、保護部材は孔部または切欠部の端部に対して導電線が直接接触しないようにヒートシンクに貼り付けることによって取り付けられており、導電線の移動を規制して安定な状態で保持されるものではない。このため、不安定な状態である導電線は、ＬＥＤ照明装置の製造工程あるいは施工工程において、損傷してしまったり作業を妨げてしまったりするおそれがある。
また、ＬＥＤ照明装置が長期間にわたって使用された場合に、ヒートシンクに貼り付けられた保護部材は捲れたり剥がれたりするおそれもある。つまり、ＬＥＤ照明装置の製造品質、施工品質、長期的品質を低下させてしまうおそれがある。
【０００６】
上記の課題を解決することを目的として、特許文献２には、第２電線クランプを用いた灯具、照明装置が提案されている。
この第２電線クランプのような部品は、灯具の長手方向の端部に配置されて使用される部品であるが、特許文献３に示すような灯具（ライトユニット）では、長手方向の端部に十分なスペースを確保できないため、第２電線クランプのような部品を用いることが困難であった。
【先行技術文献】
【特許文献】
【０００７】
【特許文献１】特開２０１５−１９８０９２号公報
【特許文献２】特開２０１６−２１３１６５号公報
【特許文献３】特開２０１５−１６２３８２号公報
【発明の概要】
【発明が解決しようとする課題】
【０００８】
本発明は、灯具の長手方向の端部に配置でき、灯具側支持具と干渉しない電線保持具を有する灯具の提供を目的とする。
【課題を解決するための手段】
【０００９】
この発明の灯具は、
器具に着脱自在に装着される灯具であり、
一面の側に光源部が配置されるとともに、前記一面と反対側である他面の側には前記器具に前記灯具を装着するための灯具側支持具が配置される台座と、
前記台座の端部において前記他面と前記灯具側支持具との間に配置され、前記端部を経由して前記一面の側及び前記他面の側に配置される電線を保持する電線保持具と
を備える。
【発明の効果】
【００１０】
本発明の灯具は、台座の端部において他面と灯具側支持具との間に配置され、端部を経由して一面の側及び他面の側に配置される電線を保持する電線保持具を備える。よって、電線保持具は灯具の長手方向の端部に配置でき、また、灯具に配置された場合に電線保持具は灯具側支持具と干渉することはない。
【図面の簡単な説明】
【００１１】
【図１】実施の形態１の図で、照明装置の斜視図。
【図２】実施の形態１の図で、照明装置の分割斜視図。
【図３】実施の形態１の図で、器具（器具本体）の斜視図。
【図４】実施の形態１の図で、器具（器具本体）の部分拡大斜視図。
【図５】実施の形態１の図で、器具側連結具（板バネ）の図。
【図６】実施の形態１の図で、灯具（ライトユニット）の斜視図。
【図７】実施の形態１の図で、灯具（ライトユニット）の分解斜視図。
【図８】実施の形態１の図で、灯具（ライトユニット）の部分拡大斜視図。
【図９】実施の形態１の図で、灯具側連結具（バネ金具）の図。
【図１０】実施の形態１の図で、灯具側支持具（引掛バネ）の図。
【図１１】実施の形態１の図で、落下防止具（吊紐）の傾斜図。
【図１２】実施の形態１の図で、配線具を示す図。
【図１３】実施の形態１の図で、電線保持具の斜視図。
【図１４】実施の形態１の図で、電線保持具の配置を説明する灯具（ライトユニット）の断面図。
【図１５】実施の形態１の図で、電線保持具の台座への取り付けを説明する図。
【図１６】実施の形態１の図で、電線保持具の台座への取り付けを説明する断面図。
【図１７】実施の形態１の図で、電線の保持を説明する図。
【図１８】実施の形態１の図で、灯具の取付工程を説明する図。
【発明を実施するための形態】
【００１２】
以下、本発明の実施の形態に係る照明装置１０００について、図面を参照して説明する。各図において同じまたは対応する構成要素には、同じ符号を付し、説明の繰り返しを省略する場合がある。ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１３】
実施の形態１．
図１は、実施の形態１に係る照明装置１０００の斜視図である。図２は、実施の形態１に係る照明装置１０００の器具１００と灯具２００とを分割した状態を示す斜視図である。図３は、実施の形態１に係る器具１００の斜視図である。図４は、実施の形態１に係る器具１００の部分拡大斜視図であり、図４の（ａ）が器具１００の一方の端部を示し、図４の（ｂ）が器具１００の他方の端部を示す。
【００１４】
以下の説明において、照明装置１０００の長手方向に沿った方向を長手方向（Ｘ方向）とする。また、長手方向（Ｘ方向）に直交し、長手方向（Ｘ方向）に対する短手方向を短手方向（Ｙ方向）とする。そして、長手方向（Ｘ方向）及び短手方向（Ｙ方向）のいずれとも直交する方向を上下方向（Ｚ方向）とする。さらに、上下方向（Ｚ方向）において、照明装置１０００が取り付けられる天井あるいは壁等の被取付部９００側への向きを上向きＺ１とする。そして、上向きＺ１と反対側への向きであり照明装置１０００から光が照射される照明空間側への向きを下向きＺ２とする。
【００１５】
また、本実施の形態では、所謂逆富士形の照明装置１０００を用いて説明するが、器具１００と灯具２００とが分離可能で、器具１００に対して灯具２００を着脱自在に取り付けることができる照明装置であれば、トラフ形、笠付き形等の他の直付けタイプの照明装置、埋込タイプの照明装置でもよく、また、スクエア型など略正方形状をした照明装置でもよい。
【００１６】
図１に示すように、照明装置１０００は、天井等の被取付部９００に当接するように設置される器具１００と、器具１００に脱着可能に取り付けられる灯具２００とを備えている。器具１００は、灯具２００を器具１００に固定するための板バネ１３０と、外部から引き込まれた電源電線が接続される端子台１２０を備えている。照明装置１０００では、長手形状の灯具２００が長手形状の器具１００に対向して脱着可能に装着される。
【００１７】
（器具１００）
図２〜図４に示すように、器具１００は、器具本体１０５と器具蓋体１１５とからなる。器具１００は、長手方向に沿って略中央部に灯具収容部１１１（凹部）が形成されている。灯具収容部１１１は、底部１１２（底板）と側部１１３（側板）とを備える。底部１１２は天井等の被取付部９００に当接する。灯具収容部１１１の開口部側には灯具２００の一部が挿入される側部１１３が形成されている。側部１１３は、灯具２００が挿入される側面部１１３ａ（灯具挿入部）と、側面部１１３ａの底部１１２と反対側の端縁部である側縁部１１３ｂを有する。側面部１１３ａは、底部１１２の両端から立ち上がる側板である。灯具２００の短手方向の最大幅寸法が灯具収容部１１１の幅寸法よりの大きい場合は、灯具２００は側縁部１１３ｂと当接する。底部１１２の先端には、後述のカバー当接部２３０ｂに押圧される側縁部１１３ｂが形成されている。側縁部１１３ｂのそれぞれからは、短手方向Ｙの外側に向かって傾斜部１１４が形成されている。傾斜部１１４は、後述する灯具２００のカバー２３０から側方（短手方向Ｙの外側）に向かって照射される光を反射する反射部として機能する。器具本体１０５の両端部には灯具収容部１１１及び傾斜部１１４を覆うように器具蓋体１１５が取り付けられている。
【００１８】
灯具収容部１１１の底部１１２には、商用電源からの電力供給を受けるための電源線を引き込む電源線引込孔１１２ａと、器具１００天井等の被取付部９００へ固定する為の固定孔１１２ｂとが形成されている。また、底部１１２には、器具側連結具である板バネ１３０、端子台１２０、及び、灯具２００の落下を防止する吊紐２９０を引っ掛ける為の吊孔１１２ｃが形成された吊金具１１２ｃ−１が取り付けられている。なお、器具１００の底部１１２を部分的に切り起こす等の方法によって、吊孔１１２ｃを形成してもよい。
【００１９】
（引掛金具１１６）
２つの器具蓋体１１５のうち、板バネ１３０が配置されない器具蓋体１１５には、内部側に、器具側支持具である引掛金具１１６が取り付けられている。引掛金具１１６には、後述する引掛バネ２８０（灯具側支持具）の先端部である引掛摺動部２８０ｄが引っ掛けられる略角形状の開口である引掛孔１１６ａが形成されている。なお、本実施の形態１では引掛金具１１６は器具蓋体１１５と別体に構成されているものとして説明しているが、引掛金具１１６は器具蓋体１１５とは一体に形成されてもよい。
【００２０】
（板バネ１３０）
図５は、実施の形態１に係る器具側連結具である板バネ１３０を説明する図であり、図５の（ａ）は斜視図、図５の（ｂ）は板バネ１３０長手方向に沿った断面図である。板バネ１３０は、ステンレス材料や、バネ鋼板などの弾性材料で形成された、長手形状の板バネである。
【００２１】
図５に示すように、板バネ１３０は、第１平坦部Ｌ１（平坦部）、第１曲げ部Ｍ１、第２平坦部Ｌ２、第２曲げ部Ｍ２、第３平坦部Ｌ３、第３曲げ部Ｍ３、第４平坦部Ｌ４、第４曲げ部Ｍ４、円弧部Ｅ、屈曲部Ｋを備える。また第１曲げ部Ｍ１、第２平坦部Ｌ２、第２曲げ部Ｍ２、第３平坦部Ｌ３、第３曲げ部Ｍ３（突起部）、第４平坦部Ｌ４、第４曲げ部Ｍ４、円弧部Ｅ、屈曲部Ｋは、円弧形状部を構成する。
【００２２】
第１平坦部Ｌ１（固定部）は、長手形状の一方の端部から長手方向に向かう。第１平坦部Ｌ１はネジ１１７を用いて底部１１２に固定される。
第１曲げ部Ｍ１は、第１平坦部Ｌ１の終わりに、第１曲げ半径Ｒ１で形成される。
第２平坦部Ｌ２は、第１曲げ半径Ｒ１で第１角度θ１に曲げられて第１平坦部Ｌ１から立ち上がる。第２平坦部Ｌ２は、板バネ１３０が灯具２００を取り付けするときの弾性作用の軸部であり、可動の軸になる。
第２曲げ部Ｍ２は、第２平坦部Ｌ２の終わりに、第１曲げ半径Ｒ１と反対向きに第２曲げ半径Ｒ２で形成される。
第３平坦部Ｌ３は、第２曲げ半径Ｒ２で鋭角の第２角度θ２に曲げられて延びる。
第３曲げ部Ｍ３は、第３平坦部Ｌ３の終わりに、第２曲げ半径Ｒ２と反対向きに第３曲げ半径Ｒ３で形成される。第３曲げ部Ｍ３は、灯具２００が器具１００に装着完了となる直前に連結金具２５０のバネ受部２５１ｂに当たることで、円弧部Ｅの摺動を制御する。
第４平坦部Ｌ４は、第３曲げ半径Ｒ３で鋭角の第３角度θ３に曲げられて延びる。
第４曲げ部Ｍ４は、第４平坦部Ｌ４の終わりに、第３曲げ半径Ｒ３と反対向きに第４曲げ半径Ｒ４で形成される。第４曲げ部Ｍ４の内側箇所Ｍ４−１は、板バネ１３０が灯具２００を保持したときに、連結金具２５０のバネ挿入孔２５１ａの縁に当接する。
円弧部Ｅは、第４曲げ半径Ｒ４で鈍角の第４角度θ４に曲げられて第１平坦部Ｌ１の向かう長手方向に延びると共に第２平坦部Ｌ２の立ち上がる方向に凸となる円弧形状の部分である。円弧部Ｅは、連結金具２５０のバネ挿入孔２５１ａの縁と当接して摺動する摺動部である。
屈曲部Ｋ（引っ掛け部）は、円弧部Ｅの端部が屈曲されたものであり、連結金具２５０のバネ挿入孔２５１ａの縁に引っ掛けられる。
【００２３】
（端子台１２０）
端子台１２０は、商用電源から供給される電力を灯具２００へ中継する。端子台１２０には器具側電源線１２１（図２、図３）によって電力が供給される。器具側電源線１２１の一方は端子台１２０に接続しており、他方は器具側電源線コネクタ１２１ａに接続している。
【００２４】
（灯具２００）
図６は、実施の形態１に係る灯具２００の斜視図である。図７は、実施の形態１に係る灯具２００の主要な構成要素を示す分解斜視図である。図８は、実施の形態１に係る灯具２００の部分拡大斜視図であり、図８の（ａ）は灯具２００の一方の端部（図６のＴ３部）を示し、図８の（ｂ）は、灯具２００の他方の端部（図６のＴ４部）を示す。
Ｔ３部は器具１００のＴ１部（図３）に、Ｔ４部は器具１００のＴ２部（図３）に取り付けられる。
【００２５】
灯具２００は、以下の（１）〜（９）を備えている。
（１）発光素子である複数のＬＥＤ２１２と、複数のＬＥＤ２１２が実装される基板２１１とからなる光源部（ＬＥＤ基板）２１０、
（２）光源部２１０が取り付けられる台座（取付部）２２０、
（３）光源部２１０を覆うように台座２２０に取り付けられるとともに光源部２１０から発せられる光を透過或いは拡散させる透光性のカバー２３０、
（４）灯具２００を器具１００に装着するために板バネ１３０と連結する連結金具２５０（灯具側連結具）、
（５）ＬＥＤ２１２を点灯させる点灯電力を生成する点灯装置２７０、
（６）灯具２００を器具１００に支持するために引掛金具１１６に差し込まれる引掛バネ（灯具側支持具）２８０、
（７）灯具２００の落下を防止する為に用いる吊紐２９０、
（８）灯具側電源線２７１或いは給電線２７２を台座２２０に配置する為の電線配置具（配線具）３１０、
（９）及び、台座２２０において給電線２７２を保持する為の電線保持具３３０。
【００２６】
（台座２２０）
台座２２０は、長尺状に形成されており、光源部２１０が取り付けられる台座主部２２１と台座主部２２１の短手方向Ｙにおける両側部から略垂直に起立する台座側部２２２とから構成されている。
【００２７】
台座主部２２１の第１面２２１ａには光源部２１０が取り付けられる。
第１面２２１ａは光源部２１０が配置される一面である。
【００２８】
第１面２２１ａと反対側の面である第２面２２１ｂには、第２面２２１ｂの長手方向Ｘにおける、一方の端部の側に、板バネ１３０と連結する連結金具２５０を取り付ける為の連結金具取付部２２３が形成されている。第２面２２１ｂは他面である。
連結金具取付部２２３は、台座主部２２１を貫通するように形成された一対の金具取付孔２２３ａ、台座主部２２１の第２面側にブリッジ状に形成された金具係止部２２３ｂ、金具係止部２２３ｂに囲まれ、第２面に沿って貫通する金具装着孔２２３ｃ、及び、金具装着孔２２３ｃが貫通する方向に沿って、金具係止部２２３ｂに向かって切り起こされた金具抜止片２２３ｄとからなる。
【００２９】
また、第２面２２１ｂの長手方向Ｘにおける、連結金具２５０が配置されない他方の端部の側には、引掛バネ取付部２２４が形成されている。引掛バネ取付部２２４は、引掛バネ２８０の端部が差し込まれて保持する引掛バネ保持部２２４ａと、引掛バネ２８０の可動を制御する引掛バネ制御部２２４ｂとからなる。
【００３０】
本実施の形態では、引掛バネ保持部２２４ａは台座主部２２１の一部を山形に切り起こして形成されており、引掛バネ制御部２２４ｂは台座主部２２１の一部をＬ形に切り起こして形成されている。引掛バネ保持部２２４ａ及び引掛バネ制御部２２４ｂは、それぞれ、他の形状に形成されてもよい。
【００３１】
そして、第２面２２１ｂの長手方向Ｘにおける略中央部には、点灯装置２７０を取り付けるための点灯装置取付部２２７として、切絞り部２２７ａと絞り部２２７ｂとが形成されている。切絞り部２２７ａと絞り部２２７ｂとの間隔は、点灯装置２７０の長手方向の寸法に応じて決定する。
【００３２】
また、第２面２２１ｂには、灯具側電源線２７１、給電線２７２、制御線（図示は省略）等の電線を適正に配置する配線具を取り付けるための配線具取付部２２５として、配線具取付孔２２５ａと配線具係止突起２２５ｂとが形成されている。
【００３３】
更に、台座主部２２１の長手方向Ｘにおける端部には、灯具側電源線２７１を保持する配線保持具取付部２２６として、切欠部（第１凹部）２２６ａと台座側係着部（第２凹部）２２６ｂが形成されている。
【００３４】
（光源部２１０）
光源部２１０は、複数のＬＥＤ２１２と、複数のＬＥＤを実装する基板２１１を有しており、照明装置１０００の長手方向Ｘと略同等の長さ寸法となるよう長尺状に形成されている。また、ＬＥＤ２１２は長手方向Ｘに沿って、基板２１１に略等間隔で配設されている。基板２１１は、接着剤等の固定手段によって台座２２０に固定される。
【００３５】
基板２１１には２つの基板コネクタ２１３が設けられており、それぞれ給電線２７２に接続された給電線コネクタ２７２ａと嵌合して接続されている。基板コネクタ２１３は、いずれも基板２１１の長手方向Ｘに給電線コネクタ２７２ａを嵌合できるように配置されている。給電線２７２は、台座主部２２１端部を経由して取付部１の第２面２２１ｂに配置される点灯装置２７０に接続される。
【００３６】
（カバー２３０）
カバー２３０は、長手方向Ｘに沿って光源部２１０を覆うカバー主部２３１と、台座２２０に取り付ける為のカバー取付部２３２、及び、カバー主部２３１の長手方向におけるそれぞれの端部を覆うカバー蓋部２４０からなる。
【００３７】
カバー主部２３１は、主に下方側（下向きＺ２）に光を照射する下方照射部２３１ａと、下方照射部２３１ａの短手方向Ｙにおける両端部から上方側（上向きＺ１）に起立し、主に側方側に光を照射する側方照射部２３１ｂからなる。短手方向に沿った断面視において、下方照射部２３１ａは略円弧形状に形成されている。側方照射部２３１ｂは、灯具を着脱し易くするために、光源部２１０側に凹状に窪んだ掴み易い形状に形成されている。
【００３８】
カバー取付部２３２は、側方照射部２３１ｂにおける下方照射部２３１ａと反対側の端部より上方側（上向きＺ１）にカバー主部と一体に形成されている。カバー取付部２３２は、台座側部２２２に嵌合するカバー嵌合部２３２ａと台座主部２２１を支えるカバー支持部２３２ｂとからなる。カバー２３０は、カバー取付部２３２が台座２２０を抱え込むように取り付けられる。
【００３９】
カバー蓋部２４０は、カバー主部２３１の端部に溶着、接着、嵌着等の方法で取り付けられており、カバー主部２３１とともに一体のカバー２３０を構成する。
【００４０】
カバー２３０の短手方向Ｙにおける最大幅寸法が灯具収容部１１１の幅寸法より大きい場合は、カバー２３０が器具１００の側縁部１１３ｂと当接することによって、器具１００に対する灯具２００の着脱方向（上下方向Ｚ）における灯具２００の装着位置が決定される。
【００４１】
（連結金具２５０）
図９は、実施の形態１に係る灯具側連結具である連結金具２５０を説明する図であり、図９の（ａ）は、連結金具２５０の斜視図であり、図９の（ｂ）は、連結金具２５０を台座に対する取り付けを説明する斜視図である。
【００４２】
灯具側連結具である連結金具２５０は、器具側連結部である板バネ１３０と係り合う（係合する）ことによって灯具２００を器具１００に連結する。すなわち、連結金具２５０は、器具１００の板バネ１３０とともに照明装置１０００の連結装置を構成する。連結金具２５０は、例えば、鉄、アルミニウム等の金属材料を用いて形成される。
【００４３】
連結金具２５０は、灯具２００の長手方向Ｘにおける一方の端部側に配置される。連結金具２５０は、器具１００の板バネ１３０に対応する位置に配置される。
【００４４】
図９に示すように、連結金具２５０は、板バネ１３０と係合する金具主部（バネ挿入部）２５１、台座２２０に装着するための金具固定部（金具装着片、金具底面部）２５２、台座２２０への装着をガイド（案内）するための金具取付片２５４、台座側部２２２とによってカバー嵌合部２３２ａを挟持するカバー保持片２５５、台座側部２２２に引っ掛かる台座係止片２５６、及び、金具側部２５３等を有する。
【００４５】
金具主部２５１には、板バネ１３０が挿入されるバネ挿入孔２５１ａが形成される。バネ挿入孔２５１ａの形状は、種々の変形が可能であるが、上下方向Ｚに沿ったバネ挿入孔２５１ａの中心線に対して対称の形状であることが好ましい。
ましい。
【００４６】
金具固定部２５２は、金具主部２５１から遠い先端側に第１固定部２５２ａが、金具主部２５１と接続されている基端側に第２固定部２５２ｂがそれぞれ形成されている。金具主部２５１と金具固定部２５２とは略Ｌ形状をなしており、第２固定部２５２ｂは屈曲部の一部を切り欠くようにして形成されている。
【００４７】
金具側部２５３は、金具主部２５１の両側端部から、金具主部２５１の灯具２００が器具１００に取り付けられる向きと直交する向きに屈曲させて形成され、互いに対向している。連結金具２５０は、金具側部２５３の台座主部２２１の側の端部から短手方向Ｙの外側に向かって、金具取付片２５４、カバー保持片２５５、及び、台座係止片２５６が形成されている。金具側部２５３は、金具取付片２５４、カバー保持片２５５、及び、台座係止片２５６と金具主部２５１との接続部である。
【００４８】
金具主部２５１の、金具固定部（金具装着片、金具底面部）２５２と反対側には、灯具２００が器具１００に取り付けられる向きに延設された上端部２５１ｃが形成される。上端部２５１ｃは、灯具２００が器具１００に取り付けられている状態で、灯具収容部１１１の底部１１２に当接し、器具１００に対する灯具２００の着脱方向（上下方向Ｚ）における灯具２００の装着位置が決定される。
【００４９】
図９の（ｂ）に示すように、連結金具２５０は、台座主部２２１の第２面２２１ｂの側にブリッジ状に形成された金具係止部２２３ｂの金具装着孔２２３ｃに対して金具固定部２５２の第１固定部２５２ａが差し込まれることによって台座２２０に取り付けられる。すなわち、連結金具２５０は、台座主部２２１の金具係止部２２３ｂが形成された位置に配置される。
【００５０】
金具装着孔２２３ｃに第１固定部２５２ａが差し込まれた状態で、連結金具２５０は、金具係止部２２３ｂによって長手方向Ｘと交わる向きである上向きＺ１への移動が規制される。すなわち、連結金具２５０は、金具係止部２２３ｂによって、第２面２２１ｂと交わるきである上向きＺ１への移動が規制される。
【００５１】
連結金具２５０が台座２２０に取り付けられた状態、すなわち、金具装着孔２２３ｃに第１固定部２５２ａが差し込まれた状態で、第２固定部２５２ｂは金具抜止片２２３ｄと当接する。このため、金具装着孔２２３ｃに第１固定部２５２ａが所定長だけ差し込まれた状態で、連結金具２５０は長手方向Ｘにおける中向きＸ２への移動が規制される。つまり、金具装着孔２２３ｃに第１固定部２５２ａが所定長だけ差し込まれた状態で、第２固定部２５２ｂが金具抜止片２２３ｄに係止されるため、連結金具２５０は台座主部２２１から外れない。
【００５２】
図９の（ｂ）に示すように、金具側部２５３の外側に形成された一対の金具取付片２５４は、台座主部２２１に形成された一対の金具取付孔２２３ａの幅広部２２３ａ−１に挿入されることによって連結金具２５０の長手方向Ｘへの移動の起点が決まる。第１面２２１ａの側に配置された金具取付片２５４は、幅狭部２２３ａ−２に引っ掛かり、長手方向Ｘに直交する向きである上向きに外れることはない。
【００５３】
（点灯装置２７０）
点灯装置２７０は、端子台１２０を介して供給される（受電する）商用電力等の電力を、光源部２１０が点灯可能な点等電力に変換して光源部２１０に供給（給電）する。点灯装置２７０は、略直方体形状をした点灯装置本体部（ケース）２７０ａと、点灯装置本体部２７０ａの内部に配置される点灯回路部２７０ｂとからなる。
【００５４】
点灯装置２７０は、台座主部２２１の第２面２２１ｂに設けられた点灯装置取付部に取付けられる。詳しくは、点灯装置本体部２７０ａの長手方向における一端の側に設けられた係合片２７０ａ−１が切絞り部２２７ａに差し込まれた状態で、台座主部２２１の第１面２２１ａの側から絞り部２２７ｂに設けられたネジ挿通孔２２７ｃを挿通するネジ８００が点灯装置本体部２７０ａの長手方向における他端の側に設けられたネジ孔２７０ｄにねじ込まれることにより、点灯装置２７０は台座主部２２１の第２面２２１ｂに固定される。
【００５５】
点灯装置２７０は、先端に、端子台１２０と連結する為の灯具側電源線コネクタ（連結コネクタ）２７１ａが設けられた灯具側電源線（電源ケーブル）２７１、及び、先端に、光源部２１０と連結する為の給電線コネクタ２７２ａが設けられた給電線２７２が接続される。
【００５６】
（引掛バネ２８０）
図１０は、実施の形態１に係る灯具側支持具である引掛バネ２８０を説明する図であり、図１０の（ａ）は斜視図であり、図１０の（ｂ）は平面図であり、図１０の（ｃ）は側面図である。
【００５７】
引掛バネ２８０は、器具１００に設けられた引掛金具１１６の引掛孔１１６ａに差し込まれる。引掛バネ２８０は、ステンレス材料や、バネ鋼板など弾性を有した線材を概略「Ｃ」形状に形成されたものである。
【００５８】
引掛バネ２８０は、線材の両端に形成された引掛バネ保持部２２４ａに差し込まれる一対の差込部２８０ａと、一対の差込部２８０ａより幅が狭く短手方向Ｙにおいて引掛バネ制御部２２４ｂの内側に保持される一対の保持部２８０ｂと、器具１００の引掛孔１１６ａに差し込まれたのちに、弾性力により器具１００の引掛金具１１６を台座２２０に押圧する押圧部２８０ｃとから構成されている。また、押圧部２８０ｃの先端には斜め上の方向へ曲げられており、引掛孔１１６ａの周縁部１１６ａ−１を摺動する引掛摺動部２８０ｄが形成されている。
【００５９】
差込部２８０ａと保持部２８０ｂとの間には、配線具３１０と接触しないように形成した迂回部２８０ｅを有する。
【００６０】
（吊紐２９０）
図１１は、実施の形態１に係る落下防止具である吊紐２９０の傾斜図である。
【００６１】
図１１に示すように、吊紐２９０は、優れた柔軟性と張力に対する十分な強度を有した紐等からなる線状部２９０ａと、略「Ｊ」形状をなし、線状部２９０ａの両端に結合されたフック部２９０ｂとからなる。線状部２９０ａは張力部とも称する。
【００６２】
線状部２９０ａは、チェーン等で構成されてもよい。フック部２９０ｂは、略「Ｓ」形状でもよいし、リング形状で開閉ロック付きの態様であってもよい。
【００６３】
図２、図６、図８に示すように、本実施の形態では、吊紐２９０は、予め灯具２００に取り付けられている。詳しくは、吊紐２９０は、点灯装置本体部２７０ａに設けられた引掛部２７０ｃに一方のフック部２９０ｂが引っ掛けられことによって取付けられる。吊紐２９０のフック部２９０ｂが引掛部２７０ｃに引っ掛けられた状態で、点灯装置２７０が台座に取り付けられると、フック部２９０ｂは台座によって移動を規制され、引掛部２７０ｃから外れないようになる。
【００６４】
そして、吊紐２９０は、灯具２００を包装する前に、他方のフック部２９０ｂを配線具３１０の電線を保持しない配線部３１３に引っ掛けて仮固定することが好ましい。他方のフック部２９０ｂは、配線部３１３の外壁部３１３ａ又は内壁部３１３ｃに引っ掛けることができる。このように仮固定することによって、他方のフック部２９０ｂが点灯装置２７０に入り込んでしまい、落下防止具として機能しなかったり、点灯回路部２７０ｂの動作不具合の原因となったり、光の出射部であり外観意匠部分であるカバー２３０を傷つけたりするおそれがなくなる。なお、他方のフック部２９０ｂは、配線部３１３以外の視認できる部分に仮固定してもよい。
【００６５】
灯具２００を器具１００に取り付ける際には、吊紐２９０の他方のフック部２９０ｂを器具１００に引っ掛けた後に、灯具２００を器具１００に取り付ける。これにより、灯具２００の落下を防止する。
【００６６】
なお、２つのフック部２９０ｂのうち灯具２００と接続する側の一方のフック部２９０ｂは、台座２２０に取り付けられる連結部としてもよい。詳しくは、点灯装置２７０とともにネジ、或いはボルト及びナットにて固定される概略「Ｏ」形状、概略「Ｕ」形状のものを用いることができる。また、吊紐２９０の灯具２００との接続は、フック部２９０ｂ、連結部を用いず、線状部２９０ａそのものを結びつけてもよい。
【００６７】
（配線具３１０）
図１２は、配線具３１０を示す。図１２の（ａ）は配線具３１０の斜視図であり、図１２の（ｂ）は配線具３１０の正面図である。配線具３１０は、給電線２７２を保持する。給電線２７２は配線具３１０が保持する電線の例である。配線具３１０は給電線２７２以外の電線を保持しても良い。配線具３１０は、台座部３１１、取付片３１２、配線部３１３、支持部３１４、及び張出部３１５を備えている。
【００６８】
配線具３１０は、台座部３１１の長辺方向が台座２２０のＹ方向（短手方向）に沿うように設置される。配線具３１０は、台座部３１１の長辺方向の端部に、給電線２７２を保持する配線部３１３を有する。一対の配線部３１３の下側には、それぞれ取付片３１２が形成されている。台座部３１１からは、支持部３１４が起立している。支持部３１４の端部には張出部３１５が形成されている。
【００６９】
配線具３１０は、取付片３１２が台座２２０の台座主部２２１に形成された配線具取付孔２２５ａ（図７、図１７の（ｂ））に嵌ることで係合し、台座主部２２１に取り付けられる。
【００７０】
配線部３１３は、台座部３１１の長辺方向の両側に形成された一対の外壁部３１３ａを有する。外壁部３１３ａの上端には、互いに向き合うように、一対の外壁屈曲部３１３ｂが形成されている。
一対の外壁屈曲部３１３ｂの内側には、一対の内壁部３１３ｃが形成されている。
内壁部３１３ｃの上端には、互いに反対方向を向く合ように、一対の内壁屈曲部３１３ｄが形成されている。
給電線２７２は図１７の（ｂ）の矢印で示す箇所から、外壁部３１３ａ、外壁屈曲部３１３ｂ及び内壁部３１３ｃが形成する空間に押し込められる。このとき、外壁部３１３ａ、外壁屈曲部３１３ｂ及び内壁部３１３ｃが弾性変形することで、給電線２７２がこの空間に納まる。
【００７１】
支持部３１４は張出部３１５を支持しているが、張出部３１５は、固定孔１１２ｂ（図３）を介して灯具収容部１１１に挿入される図示していない吊ボルトの先端部と当接し、灯具収容部１１１内部への吊ボルトの侵入を規制する。張出部３１５が、ボルト止め部として機能する。
【００７２】
（電線保持具３３０）
図１３から図１７を参照して、電線を保持する電線保持具３３０を説明する。
灯具２００は電線保持具３３０を備えている。後述する図１８に示すように、灯具２００は、器具１００に着脱自在に装着される。灯具２００は、台座２２０と電線保持具３３０とを備えている。図７に示すように、台座２２０は、一面である第１面２２１ａの側に光源部２１０が配置されるとともに、第１面２２１ａと反対側である第２面２２１ｂ（他面）の側には器具１００に灯具２００を装着するための引掛バネ２８０（灯具側支持具）が配置される。以下に説明する電線保持具３３０は、台座２２０の端部（図６のＴ４部）において第２面２２１ｂと灯具側支持具２８０との間に配置される（後述する図１７の（ｂ））。
図１７に示すように、電線保持具３３０は、端部（Ｔ４部）を経由して第１面２２１ａの側及び第２面２２１ｂの側に配置される給電線２７２を保持する。
【００７３】
図１３は、実施の形態１に係る電線保持具３３０の斜視図である。電線保持具３３０は電線クランプと呼ばれる場合もある。図１２の（ａ）及び（ｂ）は、電線の保持機能を使用しない状態の電線保持具３３０を示す。この状態を蓋部３３３が開いた状態という場合がある。図１２の（ｃ）は、電線の保持機能を使用する状態の電線保持具３３０を示す。この状態を蓋部３３３が閉じた状態という場合がある。
【００７４】
図１４は、実施の形態１に係る灯具２００に対する電線保持具３３０の配置を説明する図である。図１４の（ａ）は、カバー蓋部２４０を外した状態の他方の端部を示す図である。図１４の（ｂ）は、図１４の（ａ）におけるＦ−Ｆ断面図である。
【００７５】
図１５は、実施の形態１に係る電線保持具３３０の台座２２０への取り付けを説明する図である。図１５の（ａ）は、電線保持具３３０が台座２２０へ取付けられる前の状態を示す。図１５の（ｂ）、（ｃ）及び（ｄ）は、電線保持具３３０が台座２２０へ取付けられた状態を示す。
【００７６】
図１６は、実施の形態１に係る電線保持具３３０の台座への取り付けを説明する断面図である。図１６の（ａ）は、図１４の（ｂ）のＧ−Ｇ断面図である。図１６の（ｂ）及び（ｃ）は、図１６の（ａ）のＨ−Ｈ断面図である。
【００７７】
図１７は、実施の形態１に係る電線の保持を説明する斜視図である。図１７では引掛バネ２８０を省略している。図１７の（ａ）は、器具１００に向く側の電線を示す。
図１７の（ｂ）は、カバー２３０に向く側の電線を示す。
【００７８】
図１３を詳しく説明する。図１３の（ａ）に示すように、電線保持具３３０は、台座２２０に固定される基部３３１、固定部３３２、基部３３１に取付けられる蓋部３３３及び接続部３３４を備えている。後述する図１７に示すように、給電線２７２は、蓋部３３３が基部３３１に取付けられた状態で基部３３１と蓋部３３３とに挟持される。
図１３の（ｂ）に示すように、固定部３３２は基部３３１の表面から盛り上がる形状である。蓋部３３３は、基部３３１と接続部３３４を介して接続している。接続部３３４は、基部３３１と蓋部３３３とを接続すると共に、弾性変形可能である。接続部３３４が弾性変形することで、蓋部３３３が閉じて基部３３１を覆うことができる。蓋部３３３は、接続部３３４を回転の軸として矢印５０１の向きに回転して基部３３１に係合し、基部３３１の蓋になる。
【００７９】
基部３３１は、基部側係合部３３１ａと配線部３３１ｄを備えている。基部側係合部３３１ａには後述する蓋側係合部３３３ａが嵌る。つまり基部側係合部３３１ａには蓋側係合部３３３ａが係合する。基部３３１には貫通孔３３１ｂが形成されている。
電線保持具（３３０）は、通線溝３３１ｃを有する。通線溝３３１ｃは、基部３３１に形成されている。通線溝３３１ｃは後述する図１７の（ａ）に示すように、切欠部２２６ａを通過する給電線２７２を案内する。基部３３１の縁には２つの通線溝３３１ｃが形成されている。
【００８０】
図１３の（ｂ）に示すように、固定部３３２には、取付溝３３２ａが形成されている。
取付溝３３２ａは、２つの通線溝３３１ｃの並ぶ方向に切り込まれた状態で形成されている。固定部３３２には一対の取付溝３３２ａが形成されている。後述する図１５の（ｃ）に示すように、固定部３３２は保持具側係着部３３２ｂを備えている。保持具側係着部３３２ｂは、一対の取付溝３３２ａそれぞれの内部に形成されている。保持具側係着部３３２ｂの形状は、後述する保持突起３３３ｃのような、先端がＲ形状のような曲線形状の凸部である。また固定部３３２には、電線を案内する通線溝３３２ｃが形成されている。
通線溝３３２ｃは通線溝３３１ｃに連続するように形成されている。
【００８１】
蓋部３３３は、蓋側係合部３３３ａ、鍔部３３３ｂ及び保持突起３３３ｃを備える。
蓋側係合部３３３ａは基部側係合部３３１ａと係合する。鍔部３３３ｂは、蓋部３３３の縁に形成されている。
一対の保持突起３３３ｃが、鍔部３３３ｂの裏側に形成されている。
保持突起３３３ｃは、蓋部３３３が基部３３１に取付けられた状態で通線溝３３１ｃに嵌っている。
【００８２】
図１４を参照して、灯具２００における電線保持具３３０の配置を詳しく説明する。
カバー蓋部２４０を外した状態の図１４の（ａ）は、電線保持具３３０が台座２２０に取り付けられた状態を示している。
図１４は固定部３３２が蓋部３３３で蓋をされた状態であり、電線保持具３３０は、図１３の（ｃ）に相当する。
図１４には寸法Ｄを示している。寸法Ｄは、台座２２０の第２面２２１ｂから蓋部３３３の上面３３３ｐまでのＺ方向における長さである。
基部３３１に関しては、配線部３３１ｄが現れている。固定部３３２に関しては、取付溝３３２ａ、保持具側係着部３３２ｂ及び通線溝３３２ｃが現れている。蓋部３３３に関しては、鍔部３３３ｂが現れている。
【００８３】
図１４の（ｂ）は、Ｚ方向の電線の取り回しを示している。電線は給電線２７２が例である。図１４の（ｂ）では、給電線２７２を便宜的に太い破線で示している。
図１４の（ｂ）に示すように、電線保持具３３０は、給電線２７２を保持した状態で灯具側支持具である引掛バネ２８０と離隔している。これを給電線２７２から見れば、
電線である給電線２７２は、電線保持具３３０に保持された状態で灯具側支持具２８０と離隔している。
図１４の（ｂ）では、電線配線具３１０、引掛バネ２８０及び電線保持具３３０の位置関係を示している。図１４の（ｂ）に示すように、電線保持具３３０では基部３３１と蓋部３３３とが係合した状態、つまり、図１３の（ｃ）の状態で、寸法Ｃと寸法Ｄに関して、以下の式１の関係である。
寸法Ｃ≧寸法Ｄ  （式１）
である。
寸法Ｄは図１４の（ａ）の説明で述べたとおりである。寸法Ｃは図１０の（ｃ）に示しているが、寸法Ｃは、台座２２０の第２面２２１ｂと、押圧部２８０ｃから２８０ｄへ移行する曲がり部Ｑの最もＺ２方向に位置する箇所との、Ｚ方向における長さである。式１が成り立つため、Ｚ方向において、電線保持具３３０と引掛バネ２８０とは干渉することはない。なお、給電線２７２の取り回しの詳細は、図１７の説明でさらに詳述する。
【００８４】
図１５を参照して電線保持具３３０の台座２２０への取り付けを説明する。図１５の（ａ）に示すように、
（１）電線保持具３３０を、台座主部２２１のＸ方向の端部に取り付ける。具体的には、図１５の（ｂ）に示すように、固定部３３２の一対の取付溝３３２ａが、一対の台座側係着部２２６ｂの形成されている切欠部２２６ａのそれぞれの縁を挟み込むように、電線保持具３３０を台座主部２２１に取り付ける。
（２）このとき、図１５の（ｃ）に示すように、電線保持具３３０が台座２２０に取り付けられた場合、突起形状をなす保持具側係着部３３２ｂが、凹形状の切欠部である台座側係着部２２６ｂに嵌る。この場合、作業者は、貫通孔３３１ｂから台座側係着部２２６ｂと保持具側係着部３３２ｂとの係合状態を、目視で確認できる。
（３）図１５の（ｃ）、（ｄ）に示すように、第２面２２１ｂの側には一対の通線溝３３１ｃが現れており、第１面２２１ａの側には一対の通線溝３３２ｃが現れている。後述する図１７は給電線２７２が電線保持具３３０に保持された状態を示しているが、作業者は図１５の（ｃ）、（ｄ）の状態、つまり、蓋部３３３が開いた状態で２本の給電線２７２をそれぞれの通線溝３３１ｃ、通線溝３３２ｃに配置し、蓋部３３３を閉じる。蓋部３３３を閉じることで通線溝３３１ｃ、通線溝３３２ｃの形成している溝を蓋部３３３が塞ぐ。これによって２本の給電線２７２が電線保持具３３０に保持されることとなる。
【００８５】
図１６を参照して電線保持具３３０の台座２２０への取り付けをさらに説明する。
（１）図１６の（ａ）に示すように、一対の取付溝３３２ａに、台座主部２２１の切欠部２２６ａの縁部２２６ａａが嵌る。
（２）図１６の（ｂ）は図１６の（ａ）のＨ−Ｈ断面を示すが、電線保持具３３０が台座主部２２１に取り付けられる前の状態を示している。台座側係着部２２６ｂは図１６の（ｂ）のように、凹形状の切欠部である。一方、保持具側係着部３３２ｂは、台座側係着部２２６ｂと嵌り合うように、台座側係着部２２６ｂに適合する形状に形成された凸形状である。
（３）電線保持具３３０を矢印の方向に挿し込むことで図１６の（ｃ）に示すように、保持具側係着部３３２ｂが台座側係着部２２６ｂと係合することで、電線保持具３３０を台座主部２２１に取り付けることができる。
【００８６】
図１６の（ｃ）には通線溝３３１ｃの相当する位置を示している。図１６の（ｃ）の示すように、通線溝３３１ｃは、基部３３１が台座２２０に固定された状態で切欠部２２６ａと重なる位置に形成されている。
保持突起３３３ｃは、図１６の（ｃ）に示す破線のだ円の位置にある。つまり、
保持突起３３３ｃは、蓋部３３３が基部３３１に取付けられた状態で切欠部２２６ａと重なる位置に形成されている。
【００８７】
図１７を参照して、給電線２７２の保持を説明する。
図７に示すように台座２２０は、端部に切欠部２２６ａが形成されているが、図１７に示すように、電線保持具３３０は、切欠部２２６ａを覆うように配置されている。
図１７の（ａ）に示すように、給電線２７２は、電線配線具３１０の配線部３１３によって、台座側部２２２に沿って案内される。配線部３１３を通過した給電線２７２は、電線保持具３３０の配線部３３１ｄと一対の通線溝３３１ｃとによって、台座側部２２２に沿った方向からＹ方向に向きを変えられる。図１７の（ｂ）に示すように、それぞれの通線溝３３１ｃに進入した各給電線２７２は、第１面２２１ａの側でそれぞれの通線溝３３２ｃから出て、それぞれの基板コネクタ２１３に接続する。
ここで、蓋部３３３に形成されている保持突起３３３ｃは、蓋部３３３が基部３３１に取付けられた状態で通線溝３３１ｃに案内された給電線２７２を保持する。蓋部３３３が基部３３１に取付けられた状態は図１３の（ｃ）に示しているが、図１３の（ｃ）では、保持突起３３３ｃは通線溝３３１ｃの縁部（図１３の（ａ））を塞いており、通線溝３３１ｃの縁部以外の部分が給電線２７２を通過させる通過領域となっている。
【００８８】
次に、灯具２００の器具１００への取付工程について説明する。図１８は、実施の形態１に係る灯具２００の器具１００に対する取り付けの工程を説明する図である。図１８の（ａ）は、灯具２００が器具１００に取り付けられる前の状態である。図１８の（ｂ）は、作業者が、灯具２００の引掛バネ２８０を器具１００の引掛金具１１６の引掛孔１１６ａに差し込み、かつ、板バネ１３０の屈曲部Ｋ（引っ掛け部）を連結金具２５０のバネ挿入孔２５１ａの縁に引っ掛けた状態である。図１８の（ｃ）は、作業者が、引掛孔１１６ａに差し込んだ引掛バネ２８０を回転の中心として、灯具２００を図１８の（ｂ）の状態から回転させた状態を示す。このとき板バネ１３０は連結金具２５０のバネ挿入孔２５１ａの縁を摺動する。図１８の（ｄ）は、器具１００に灯具２００が取り付けられた状態である。
【００８９】
（図１８の（ａ）の状態）
図１８の（ａ）では、灯具２００と器具１００とは別々に分離された状態である。また、器具１００では、器具１００の引掛孔１１６ａ（縁１１６ａ−１）と側縁部１１３ｂとの間の距離Ｂ（図４の（ｂ））が、灯具２００の台座２２０の上面と引掛バネ２８０の引掛摺動部２８０ｄとの距離Ａ（図１０の（ｃ））より大きくなるように形成されている。詳細は後述する。
【００９０】
（図１８の（ｂ）の状態）
次に図１８の（ｂ）は、作業者が、灯具２００の引掛バネ２８０を器具１００の引掛金具１１６の引掛孔１１６ａに差し込んだ状態を示しており、板バネ１３０の屈曲部Ｋを連結金具２５０のバネ挿入孔２５１ａの縁に引っ掛けた状態である。引掛バネ２８０では、先端の引掛摺動部２８０ｄが引掛孔１１６ａの縁１１６ａ−１上に当接しており、距離Ｂが距離Ａより広い為（Ｂ＞Ａ）、押圧部２８０ｃが引掛孔１１６ａの縁１１６ａ−１を押圧している状態である。なお距離Ａは図７の台座主部２２１の上面から引掛バネ２８０の引掛摺動部２８０ｄの上方向の端部２８０ｄ−１までの距離である（図１０の（ｃ））。図４の（ｂ）及び図１８の（ｄ）を参照して、距離Ｂは、器具１００に灯具２００が装着されたときの、台座主部２２１の上面（つまり、側縁部１１３ｂ）から、引掛孔１１６ａの上方の周縁部１１６ａ−１までの距離である。
【００９１】
板バネ１３０は、第２平坦部Ｌ２を底部１１２に対する回転運動の回転中心として、円弧部Ｅが底部１１２に対して垂直になるように弾性変形しながら回動する。また、板バネ１３０の屈曲部Ｋは、灯具２００の連結金具２５０のバネ挿入孔２５１ａの縁に引っ掛けられている。
【００９２】
なお、図１８の（ｂ）では、図示はしていないが、吊紐２９０のフック部２９０ｂは、器具１００の吊孔１１２ｃに引っ掛けられている。この状態で、作業者は、器具１００の端子台コネクタ１２０ａと灯具２００の灯具側電源線コネクタ２７１ａとを連結する。なお、吊紐２９０のフック部２９０ｂを吊孔１１２ｃに引っ掛けてから引掛バネ２８０を引掛孔１１６ａに挿入し、板バネ１３０をバネ挿入孔２５１ａに挿入する手順としてもよい。
【００９３】
（図１８の（ｃ）の状態）
次に、図１８の（ｃ）では、作業者が、灯具２００を、図１８の（ｂ）の状態から引掛孔１１６ａに差し込んだ引掛バネ２８０を回転の中心として回転させる。この工程では、板バネ１３０の円弧部Ｅの器具１００側に位置する面が、バネ挿入孔２５１ａの孔縁上をバネ復元力により摺動する。
【００９４】
板バネ１３０は円弧部Ｅが連結金具２５０のバネ挿入孔２５１ａの縁を摺動する。他方の引掛バネ２８０は、作業者が引掛バネ２８０を中心として灯具２００を回転させる際、引掛バネ２８０では、引掛摺動部２８０ｄが引掛孔１１６ａの縁１１６ａ−１上を摺動しながら引掛孔１１６ａに挿し込まれる。作業者は、さらに灯具２００を回転させながら灯具２００の右側を器具１００方向へ引き上げ、灯具２００の台座側部２２２および、カバー嵌合部２３２ａを器具１００へ挿入する。このとき板バネ１３０は円弧部Ｅがバネ挿入孔２５１ａの上側の縁を摺動する。
【００９５】
なお、引掛バネ２８０は距離Ａが距離Ｂより狭い為、押圧部２８０ｃは弾性により変形しながら挿入されるとともに、引掛孔１１６ａおよび側部１１３を引掛バネ２８０とカバー蓋部２４０で押圧し把持している。
【００９６】
（図１８の（ｄ）の状態）
次に、図１８の（ｄ）では、作業者が、灯具２００を器具１００へ押し込むと、板バネ１３０の第３曲げ部が連結金具２５０のバネ受部２５１ｂと当接し、灯具２００は器具１００に取り付けられる。このとき板バネ１３０は、灯具２００の装着状態が完了する直前では、第３曲げ部Ｍ３がバネ受部２５１ｂと当接し、円弧部Ｅの摺動が抑制される。そして、作業者が灯具２００の器具１００への差し込みを完了（灯具２００の装着完了）すると、板バネ１３０の第４曲げ部Ｍ４の内側箇所Ｍ４−１が、連結金具２５０のバネ挿入孔２５１ａの上側の縁と押し合う状態で、この縁に対して位置決めされる。このとき、板バネ１３０が内側箇所Ｍ４−１でバネ挿入孔２５１ａの縁を支持する際のバネ定数は、図１８の（ｂ）の工程において、屈曲部Ｋで灯具２００を支持する際のバネ定数に対して著しく大きい。これは、板バネ１３０では第１平坦部Ｌ１（固定）が器具１００に固定されるので、第１平坦部Ｌ１を固定端とする片持ち梁として大まかに見積もることができる。板バネ１３０では、ほとんど弾性変形しない第１曲げ部Ｍ１と第４曲げ部Ｍ４との直線距離（スパン）は、第１曲げ部Ｍ１と屈曲部Ｋとの距離（スパン）の、例えば１／５〜１／６程度である。片持ち梁ではスパンはバネ定数に３乗で影響する。よって、第４曲げ部Ｍ４におけるバネ定数は、１／５であれば屈曲部Ｋにおけるバネ定数の１２５倍であり、１／６であれば屈曲部Ｋにおけるバネ定数の２１６倍である。このため、作業者が灯具２００を器具１００への差し込みを完了すると、板バネ１３０の第４曲げ部Ｍ４の内側箇所Ｍ４−１が、連結金具２５０のバネ挿入孔２５１ａの上側の縁を支持できる。つまり第４曲げ部Ｍ４の内側箇所Ｍ４−１で、灯具２００の自重を支持することができる。
図１８の（ｄ）の状態では、引掛バネ２８０の下面２８０ｄ−１−１（図１５）が、図１７の（ｄ）の矢印の方向に戻ろうとする復元力によって、縁１１６ａ−１を押圧している。
【００９７】
（灯具２００の取り外し方法）
次に、灯具２００を器具１００から取り外す方法について説明する。灯具２００の取り外し方法は、取り付け方法の逆の手順になる。
（１）まず、作業者は、図１８の（ｄ）の状態で、灯具２００が器具１００に取り付けられた状態から、板バネ１３０が設置されている側を下方向に引き下げる。
（２）次に、作業者は、灯具２００を図１８の（ｂ）の状態まで引き下げたら、端子台コネクタ１２０ａと連結コネクタ２７１ａとの連結を解徐し、吊紐２９０のフック部２９０ｂを器具１００の吊孔１１２ｃから外し、その後、板バネ１３０の屈曲部Ｋを連結金具２５０のバネ挿入孔２５１ａから外す。なお、吊紐２９０のフック部２９０ｂは引掛バネ２８０を引掛金具１１６から外した後に吊孔１１２ｃから外すようにしてもよい。
（３）最後に、作業者は、灯具２００を引掛金具１１６から挿し込んだ向きと反対の向きへ引掛バネ２８０を引き抜き、灯具２００を器具１００から取り外す。
【００９８】
＊＊＊実施の形態１の効果の説明＊＊＊
（１）灯具２００に取り付けられる電線保持具３３０は、同じく灯具２００に取付けられる引掛バネ２８０によって押圧されない（寸法Ｃ≧寸法Ｄ）。
（２）灯具２００に取り付けられる電線保持具３３０は、引掛バネ２８０を灯具に取付ける工程を妨げない。
（３）灯具２００に取り付けられた電線保持具３３０は、灯具２００を器具１００に取付ける（或いは、灯具２００を器具１００から取り外す）施工作業を妨げない。詳しくは、灯具２００に取り付けられた電線保持具３３０は、同じく灯具２００に取付けられた引掛バネ２８０が施工作業時に弾性変形しても、引掛バネ２８０に押圧されない（寸法Ｃ≧寸法Ｄ）。
（４）灯具２００に取り付けられた電線保持具３３０は、同じく灯具２００に取付けられた引掛バネ２８０によって蓋部３３３の移動が規制されるので「閉」の状態が維持され「開」の状態にはならない。このため、電線（給電線２７２）は台座２２０の端部に確実に保持され、引掛バネ２８０と接触することもない。
（５）灯具２００に取り付けられる電線保持具３３０は、台座主部２２１に沿って（スライド）装着されており、台座２２０の端部を覆うカバー蓋部２４０によって移動が規制されるので、台座２２０から外れない。
【００９９】
（６）灯具２００に取付けられる引掛バネ２８０は、同じく灯具２００に取付けられる配線具３１０を押圧しない（引掛バネ２８０の迂回部２８０ｅ）。
（７）灯具２００に取り付けられた配線具３１０は、灯具２００を器具１００に取付ける（或いは、灯具２００を器具１００から取り外す）施工作業を妨げない。詳しくは、灯具２００に取り付けられた配線具３１０は、同じく灯具２００に取付けられた引掛バネ２８０が施工作業時に弾性変形しても、引掛バネ２８０に押圧されない（寸法Ｃ≧寸法Ｄ）。
【０１００】
（８）電線保持具３３０或いは配線具３１０によって引掛バネ２８０の弾性変形が妨げられることなく、また、引掛バネ２８０の弾性変形によって電線（給電線２７２）を損傷させることなく、灯具２００に設けられ器具１００の引掛金具に挿入されるとともに器具１００の一部を把持する引掛バネ２８０と、器具１００に設けられ灯具２００に設けられた連結金具２５０を摺動し灯具２００を引き上げる板バネ１３０により、器具１００と灯具２００が確実に、かつ簡単に連結される連結機構、及びその連結機構を備えた照明器具を提供することができる。
【０１０１】
（９）板バネ１３０、及び、弾性変形が妨げられることなく、電線（給電線２７２）を損傷させることない引掛バネ２８０が弾性変形した状態で連結するように配設されており、灯具２００は引掛バネ２８０及び板バネ１３０の復元力により保持される連結機構、及びその連結機構を備えた照明器具を提供することができる。
【０１０２】
なお、本実施の形態では器具１００側に板バネ１３０と引掛金具１１６を設け、灯具２００側に連結金具２５０と引掛バネ２８０を設ける仕様について説明を行なったが、器具１００側が連結金具と引掛バネを備え、灯具２００側が板バネと引掛金具を備える仕様でもよく、どちらか一方がバネを備えもう一方がバネと係り合う金具を備えている仕様でもよい。
【０１０３】
＜変形例＞
この変形例は、電線保持具３３０が接続部３３４を持たない電線保持具に関する。
電線保持具３３０は接続部３３４を備えているが、変形例の電線保持具は接続部３３４を備えず、基部３３１と蓋部３３３は別々に分離する。
変形例の電線保持具は、基部３３１のみを台座２２０に（スライド）装着することができるので、蓋部３３３と台座側部２２２とが接触するおそれがない。
灯具２００に取り付けられた変形例の電線保持具は、同じく灯具２００に取付けられた引掛バネ２８０によって保持具蓋部３３３の移動が規制されるので「閉」の状態が維持され「開」の状態にはならない。このため、電線（給電線２７２）は台座２２０の端部に確実に保持され、引掛バネ２８０と接触することもない。
【符号の説明】
【０１０４】
１０００  照明装置、１００  器具（本体部）、１０５  器具本体、１１１  灯具収容部（凹部）、１１２  底部（灯具取付部）、１１２ａ  電源線引込孔、１１２ｂ  固定孔、１１２ｃ  吊孔、１１２ｃ−１  吊金具、１１３  側部（灯具固定部）、１１３ａ  側面部（灯具挿入部）、１１３ｂ  側縁部（灯具受部）、１１４  傾斜部（反射部）、１１５  器具蓋体、１１６  引掛金具（器具側支持具）、１１６ａ  引掛孔、１１６ａ−１  周縁部、１１７  ネジ、１２０  端子台、１２０ａ  端子台コネクタ、１２１  器具側電源線、１２１ａ  器具側電源線コネクタ、１３０  板バネ（器具側連結具）、Ｌ１  第１平坦部、Ｌ２  第２平坦部、Ｌ３  第３平坦部、Ｌ４  第４平坦部、Ｍ１  第１曲げ部、Ｍ２  第２曲げ部、Ｍ３  第３曲げ部、Ｍ４  第４曲げ部、Ｅ  円弧部、Ｋ  屈曲部、２００  灯具（光源ユニット、ライトユニット）、２１０  光源部（ＬＥＤ基板）、２１１  基板、２１２  ＬＥＤ、２１３  基板コネクタ、２２０  台座（取付部、プレート）、２２１  台座主部、２２１ａ  第１面、２２１ｂ  第２面、２２２  台座側部、２２３  連結金具取付部、２２３ａ  金具取付孔、２２３ａ−１  幅広部、２２３ａ−２  幅狭部、２２３ｂ  金具係止部、２２３ｃ  金具装着孔、２２３ｄ  金具抜止片、２２４  引掛バネ取付部、２２４ａ  引掛バネ保持部、２２４ｂ  引掛バネ制御部、２２５  配線具取付部、２２５ａ  配線具取付孔、２２５ｂ  配線具係止突起、２２６  配線保持具取付部、２２６ａ  切欠部、２２６ａａ  縁部、２２６ｂ  台座側係着部、２２７  点灯装置取付部、２２７ａ  切絞り部、２２７ｂ  絞り部、２２７ｃ  ネジ挿通孔、２３０  カバー、２３０ｂ  カバー当接部、２３１  カバー主部、２３１ａ  下方照射部、２３１ｂ  側方照射部、２３２  カバー取付部、２３２ａ  カバー嵌合部、２３２ｂ  カバー支持部、２４０  カバー蓋部、２５０  連結金具（灯具側連結具）、２５１  金具主部（バネ挿入部）、２５１ａ  バネ挿入孔、２５１ｂ  バネ受部、２５１ｃ  上端部、２５２  金具固定部（金具装着片、金具底面部）、２５２ａ  第１固定部、２５２ｂ  第２固定部、２５３  金具側部（接続部）、２５４  金具取付片、２５５  カバー保持片、２５６  台座係止片、２７０  点灯装置（電源装置、制御装置）、２７０ａ  点灯装置本体部（ケース）、２７０ｂ  点灯回路部、２７０ｃ  引掛部、２７０ｄ  ネジ孔、２７１  灯具側電源線、２７１ａ  灯具側電源線コネクタ、２７２  給電線、２７２ａ  給電線コネクタ、２８０  引掛バネ（灯具側支持具、線バネ）、２８０ａ  差込部、２８０ｂ  保持部、２８０ｃ  押圧部、２８０ｄ  引掛摺動部、２８０ｅ  迂回部、２９０  吊紐（落下防止具）、２９０ａ  線状部（紐部、張力部）、２９０ｂ  フック部、３１０  配線具、３１１  基部（台座部）、３１２  取付片、３１３  配線部、３１３ａ  外壁部、３１３ｂ  外壁屈曲部、３１３ｃ  内壁部、３１３ｄ  内壁屈曲部、３１４  支持部、３１４ａ  第１支持部、３１４ｂ  第２支持部、３１５  張出部、３３０  電線保持具、３３１  基部、３３１ａ  基部側係合部、３３１ｂ  貫通孔、３３１ｃ  通線溝（配線溝、電線案内溝）、３３１ｄ  配線部、３３２  固定部、３３２ａ  取付溝、３３２ｂ  保持具側係着部（係着凸部）、３３２���  通線溝（配線溝、電線案内溝）、３３３  蓋部、３３３ａ  蓋側係合部、３３３ｂ  鍔部、３３３ｃ  保持突起、３３４  接続部（ヒンジ部）、８００  ネジ、９００  被取付部（天井、壁）。
【図１】
2020119863.tif 000003
【図２】
2020119863.tif 000004
【図３】
2020119863.tif 000005
【図４】
2020119863.tif 000006
【図５】
2020119863.tif 000007
【図６】
2020119863.tif 000008
【図７】
2020119863.tif 000009
【図８】
2020119863.tif 000010
【図９】
2020119863.tif 000011
【図１０】
2020119863.tif 000012
【図１１】
2020119863.tif 000013
【図１２】
2020119863.tif 000014
【図１３】
2020119863.tif 000015
【図１４】
2020119863.tif 000016
【図１５】
2020119863.tif 000017
【図１６】
2020119863.tif 000018
【図１７】
2020119863.tif 000019
【図１８】
2020119863.tif 000020